(57)【特許請求の範囲】
【請求項１】
直交する第１の方向（Ｘ方向）と第２の方向（Ｙ方向）に広がりを有する面状の光出射面（１２）を有する面光源装置（１０Ａ）であって、
上記光出射面（１２）の反対側にある背面ハウジング部分（２６）と、上記第１の方向に伸びる第１の側部ハウジング部分（２８）と、上記第２の方向に伸びる２つの第２の側部ハウジング部分（３０）を有する箱型のハウジング（１８）と、
上記光出射面（１２）と背面ハウジング部分（２６）との間に配置された導光部（１４）と、
上記第１と第２の側部ハウジング部分（２８，３０）の少なくとも一つの内側に配置され、上記導光部（１４）に光を入射するための光源（６６）を有し、
上記第１と第２の側部ハウジング部分（２８，３０）の少なくとも一つのハウジング部分を延設するとともに折り曲げて、上記少なくとも一つのハウジング部分（２８又は３０）の外側に位置して第１の隙間（３６）を介して上記少なくとも一つのハウジング部分に対向する第１の放熱板部（３８）と上記背面ハウジング部分（２６）の外側に位置して第２の隙間（４０）を介して上記背面ハウジング部分（２６）に対向する第２の放熱板部（４２）を備えた放熱用ハウジング部分（２６）を形成し、上記放熱用ハウジング部分（２６）が上記ハウジング（１８）に一体的に形成されていることを特徴とする面光源装置。
【請求項２】
上記ハウジング（１８）と上記放熱用ハウジング部分（２６）がアルミニウムの板で作られていることを特徴とする請求項１の面光源装置。
【請求項３】
上記放熱用ハウジング部分（３４）は、上記隙間（４０）にある空気が対流するための少なくとも一つの開口部（４６）を備えていることを特徴とする請求項１又は２の面光源装置。
【請求項４】
上記放熱用ハウジング部分（３４）が延設される少なくとも一つのハウジング部分（２８ａ）が上記光源（６６）を支持していることを特徴とする請求項１〜３のいずれかの面光源装置。
【請求項５】
請求項１〜４のいずれかの面光源装置の上記光出射面上に液晶パネルが配置されている液晶表示装置。
【発明の詳細な説明】
【技術分野】
【０００１】
本発明は、面状の光出射面を有する面光源装置、例えば液晶表示装置のバックライト装置として使用される面光源装置に関する。本発明はまた、そのような面光源装置を備えた液晶表示装置に関する。
【背景技術】
【０００２】
小型液晶表示装置用バックライトの光源として従来から発光ダイオードが用いられてきたが、省電力や色再現性向上の利点からよりサイズの大きなバックライトでの利用が要求されるようになってきている。ところが、大型のバックライト装置は当然大きな光出射面を有することから、光源に近い部分の輝度と光源から離れた部分の輝度に差を生じがちである。そのため、光出射面のすべての部分において所定量以上の輝度を確保するため、大型化と共に光源の駆動電流を上げる必要がある。しかし、光源の駆動電流を上げると光源の発熱量が増大し、光源の使用制限温度を超えることになる。そのため、光源から周囲雰囲気までの熱抵抗を低減し、光源の温度上昇を抑える工夫が必要となる。
【０００３】
そのため、特許文献１に、絶縁性を有する又は絶縁層を表面に形成した高熱伝導性材料からなる回路基板に光源である発光ダイオードを搭載する技術が開示されている。
【特許文献１】特開２００２−２１６５２５号公報
【０００４】
また、特許文献２に、光源であるＬＥＤに接する伝熱壁、該伝熱壁を覆う放熱板を介して、光源の熱を外部に放出する技術が開示されている。
【特許文献２】特開２００６−２０８７２３号公報
【発明の開示】
【発明が解決しようとする課題】
【０００５】
しかし、特許文献１の技術は、回路基板を収容するケースの大きさに制限があるため、放熱性能の改善にも限りがある。また、特許文献２の技術は、伝熱壁は外気に接していないため、十分な放熱性能の改善を期待できない。
【課題を解決するための手段】
【０００６】
そこで、本発明の面光源装置及び該面光源装置を備えた液晶表示装置では、面光源装置（１０Ａ）は、直交する第１の方向（Ｘ方向）と第２の方向（Ｙ方向）に広がりを有する面状の光出射面（１２）を有する。面光源装置（１０Ａ）はまた、上記光出射面（１２）の反対側にある背面ハウジング部分（２６）と、上記第１の方向に伸びる第１の側部ハウジング部分（２８）と、上記第２の方向に伸びる２つの第２の側部ハウジング部分（３０）を有する箱型のハウジング（１８）と、上記光出射面（１２）と背面ハウジング部分（２６）との間に配置された導光部（１４）と、上記第１と第２の側部ハウジング部分（２８，３０）の少なくとも一つの内側に配置され、上記導光部（１４）に光を入射するための光源（６６）を有し、上記第１と第２の側部ハウジング部分（２８，３０）の少なくとも一つのハウジング部分を延設するとともに折り曲げて、上記少なくとも一つのハウジング部分（２８又は３０）の外側に位置して第１の隙間（３６）を介して上記少なくとも一つのハウジング部分に対向する第１の放熱板部（３８）と上記背面ハウジング部分（２６）の外側に位置して第２の隙間（４０）を介して上記背面ハウジング部分（２６）に対向する第２の放熱板部（４２）を備えた放熱用ハウジング部分（２６）を形成し、上記放熱用ハウジング部分（２６）が上記ハウジング（１８）に一体的に形成されていることを特徴とする
【発明の効果】
【０００７】
本発明に係る面光源装置及び液晶表示装置によれば、光源で発生した熱を効率的に外部雰囲気に放出できる。そのため、光源のジャンクション温度を効果的に下げることができる。その結果、光源により多くの電流を供給し、光出射面から出射される光の輝度、光量を上げることができる。
【発明を実施するための最良の形態】
【０００８】
以下、添付図面を参照して本発明に係る面光源装置、およびこの面光源装置を有する液晶表示装置について説明する。
【実施例１】
【０００９】
図１は、本発明に係る面光源装置１０Ａを示す。面光源装置１０Ａは、液晶パネル（図示せず）の背面側に配置され、液晶パネルと共に液晶表示装置を構成する。
【００１０】
面光源装置１０Ａは、図示する直交座標系のＸ方向（第１の方向）とＹ方向（第２の方向）を含むＸＹ平面と平行な面に沿って広がりを有する四角形の光出射面１２を有し、光出射面１２の背後（図面の下方）に配置されている後述する導光部１４から出射された光を光出射面１２上に投射するように構成されている。したがって、面光源装置１０Ａを液晶パネルに組み合わせた状態で、液晶パネルは面光源装置１０Ａの光出射面１２上に配置される。
【００１１】
面光源装置１０Ａは、光出射面１２を除く周囲を囲むハウジング１６又はフレームを有する。ハウジング１６は、熱伝導性の高い材料、例えばアルミニウムで形成することが好ましい。図２〜図５に示すように、ハウジング１６は、後述する導光部１４を収容する下部ハウジング（下部フレーム）１８を有する。好ましくは、図示するように、ハウジング１６は、下部ハウジング１８に収容されている導光部を下部ハウジング１８内に保持する上部ハウジング（上部フレーム）２０を有する。下部ハウジング１８は、Ｘ方向に伸びる一対の平行な横縁部２２（２２ａ，２２ｂ）（特に、図３，４参照）とＹ方向に伸びる一対の平行な縦縁部２４（特に、図３，４参照）を有する四角形の底板（背面ハウジング部分）２６を有する。底板２６の両横縁部２２（２２ａ，２２ｂ）はＸＹ平面に垂直なＺ方向又はほぼ垂直な方向に延設されて一対の横方向側板（２つの第１のハウジング部分）２８（２８ａ、２８ｂ）が形成されている。同様に、底板２６の両縦縁部２４もＸＹ平面に垂直なＺ方向又はほぼ垂直な方向に延設されて一対の縦方向側板（２つの第２のハウジング部分）３０が形成されている。
【００１２】
実施形態では、一方の横方向側板２８ａは他方の横方向側板２８ｂよりも高さ（Ｚ方向の寸法）が高くしてある。また、これに合わせて、一対の縦方向側板３０は、一方の横方向側板２８ａから他方の横方向側板２８ｂに向かって次第に高さが低くしてある。その結果、底板２６、一対の横方向側板２８、一対の縦方向側板３０の内側には、それらの板部材によって囲まれた略四角形で且つＹ方向横断面が略台形の導光部収容空間３２が形成されている。
【００１３】
本発明の特徴として、下部ハウジング１８は、放熱板３４からなる放熱用ハウジング部分を更に備えている。図４，５に示すように、放熱板３４は、横方向側板２８ａの上端から横方向側板２８ａの背後を経由して底板２６の背後に延設されており、概略、横方向側板２８ａの外面と所定の間隔（隙間３６）をあけて対向する第１の放熱板部（放熱用ハウジング部分）３８と、底板２６の外面と所定の間隔（隙間４０）をあけて平行に又はほぼ平行に伸びる第２の放熱板部（放熱用ハウジング部分）４２を備えている。実施形態では、第１の放熱板部３８には所定の間隔をあけて複数の開口部４４が形成されている。図５に示すように、第２の放熱板部４２にも所定の間隔をあけて複数の開口部４６が形成されている。実施形態では、第２の放熱板部４２は、底板２６とほぼ同じ大きさの寸法（Ｘ、Ｙ方向寸法）を有し、底板２６のほぼ全体に対向している。また、横方向側板２８ｂの近傍にある第２の放熱板部４２の両側末端部は一部を切り起こして底板２６に向かって伸びる隙間保持部４８が形成されており、これにより底板２６と第２の放熱板部４２との間の隙間４０に一定の大きさの放熱空間５０が安定して形成されている。
【００１４】
図２に戻り、導光部１４は、複数の光学部材で構成されている。実施形態において、導光部１４を構成する複数の光学部材は、下部ハウジング１８側から順番に、反射板（反射シート）５２、導光板５４、拡散板（拡散シート）５６、プリズムシート５８を含む。ここで、導光板５４は、導光部収容空間３２の大きさと形状にほぼ一致した大きさと形状を有し、一端側（図の左側）から他端側（図の右側）に向かって次第に厚みが薄くしてある。反射板５２、拡散板５６、プリズムシート５８には、従来から提供されている反射板、拡散板、プリズムシートが利用される。このように部材から構成される導光部１４は、図示するように積層され、導光板５４の一端側端面を横方向側板２８ａに対向させた状態、導光部収容空間３２に収容される。
【００１５】
図３に示すように、導光部材収容空間３２に隣接する横方向側板２８ａの内面には、光源装置６０が設けてある。光源装置６０は、横方向側板２８ａの内面に沿って配置される帯状のフレキシブル配線基板（ＦＰＣ）６２を有する。フレキシブル配線基板６２は、例えば、両面接着テープ６４を用いて、横方向側板２８ａに接着されている。フレキシブル配線基板６２は、該フレキシブル配線基板６２上に等間隔に配置されるとともにフレキシブル配線基板６２に設けた電力供給配線（図示せず）と電気的に接続された複数の光源である発光ダイオード（ＬＥＤ）６６を支持している。フレキシブル配線基板６２はまた、上述の電力供給配線と電気的に接続された配線を有するリード部６８を備えており、本実施形態では、リード部６８は底板２６の角部に形成した開口部又はスロット７０を介して外部に導出されている。
【００１６】
図２に戻り、上部ハウジング２０は、下部ハウジング１８の平面寸法（Ｘ、Ｙ方向寸法）よりも僅かに大きな平面寸法を有するロ字形の天板７２を有し、天板７２の内側に光出射用開口部７４が形成されている。天板７２の４つの縁部（２つの横方向縁部７６と２つの縦方向縁部７８）はそれぞれ図の下方（Ｚ方向）に延設されて４つの側板（２つの横方向側板８０と２つの縦方向側板８２）が形成されている。したがって、図１に示すように、上部ハウジング２０は、上述のように導光部１４を収容した下部ハウジング１８の上に装着されると、ロ字形天板７２の内側に光出射面１２を形成する。なお、下部ハウジング１８に対して上部ハウジング２０を安定して保持するために、上部ハウジング２０の側板８０，８２には適当な間隔をあけて複数の内方凸部８４又は凹部を形成し、下部ハウジング１８の側板２８，３０には対応する係合部（例えば、凸部又は凹部８６）を形成し、上部ハウジング２０を下部ハウジング１８に装着した状態で上部ハウジング２０と下部ハウジング１８の凸部と凹部又は凸部と凸部を係合させるようにしてもよい。
【００１７】
以上のように構成された面光源装置１０Ａによれば、発光ダイオード６６から出射された光は、導光板５４の一端側の端面８８（図２参照）から導光板５４に入射される。導光板５４に入射された光は、導光板の上面と下面で反射を繰り返しながら他端側に向かって進行するとともに、導光板５４の上面から出射される。導光板５４の下面から出射した光は、反射板５２で反射されて再び導光板５４に入射された後、最後には導光板５４の上面から出射する。導光板５４の上面から出射した光は、拡散板５６とプリズムシート５８を通過し、上部の光出射用開口部７４を介して外部に出射し、面光源装置１０Ａの上に配置される液晶パネル（図示せず）に入射される。
【００１８】
発光ダイオード６６で発生した熱は、その殆どが発光ダイオード６６の背後に位置する下部ハウジング横方向側板２８ａに伝わる。本発明において、横方向側板２８ａは、下部ハウジング１８の底板２６だけでなく、該横方向側板２８ａを延設した放熱板３４とも一体的に構成されているため、横方向側板２８ａに伝わった熱の一部は底板２６に伝わり、残りの一部の熱が放熱板３４の第１の放熱板部３８から第２の放熱板部４２へと伝わる。また、底板２６及び放熱板３４に移動した熱は、それらと直に接触する放熱空間５０及び放熱板３４の背後にある周辺雰囲気（放熱空間）９０に放出される。底板２６と放熱板３４の間の放熱空間５０の熱は、放熱空間５０の外周部又は放熱板３４に形成した複数の開口部４６を介して周辺雰囲気９０に放出される。そのため、単に底板２６を通じて放熱する場合に比べて、発光ダイオード６６の熱が効率良く周辺雰囲気９０に放出できる。これにより、発光ダイオード６６の温度上昇を抑えることができる。また、その結果、発光ダイオード６６により多くの駆動電流を供給し、各発光ダイオード６６から出射される光量を上げ、高輝度の面発光源を得ることができる。
【放熱特性解析】
【００１９】
放熱板３４を備えた下部ハウジング１８を有する面光源装置（実施例１）とこの面光源装置から放熱板を取り除いた面光源装置（比較例１）の放熱特性を解析した。
【００２０】
図６は、比較例１に係る面光源装置の放熱特性をモデル化した図である。具体的に、モデル化にあたって、面光源装置を横方向（Ｘ方向）に関してＬＥＤ１個分の幅（１０ｍｍ）を検討の対象とし、隣接するＬＥＤの間では熱バランスがとれているものとした。面光源装置を横方向（Ｙ方向）に底板を１０ｍｍごとに１０分割し、各分割部分に個別に熱抵抗を考えた。具体的に、図６（ａ）はＬＥＤから底板の末端までの各熱抵抗部の熱抵抗を示し、図６（ｂ）は図６（ａ）のモデル図をより簡略化したものである。図中、各符号の意味を以下の表１に示し、各熱抵抗部の材料、大きさ、熱抵抗、熱伝導率を図７（図７（ａ）、図７（ｂ））に示す。また、図６において、各熱抵抗部の記号の下に付した数値が熱抵抗（Ｋ／Ｗ）である。
【表１】
0005056292.tif 000002
【００２１】
図６（特に図６（ａ））から明らかなように、ＬＥＤから周囲雰囲気への放熱性に大きく関係しているのは、底板から周囲雰囲気への熱伝達による放熱である。底板の放熱性を向上させるためには、例えば、熱伝達率を上げるとか表面積を拡大するなどの方法がある。しかし、前者の方法（熱伝達率の向上）を採用する場合にはファンを用いて周囲雰囲気を強制対流させることが考えられるが、コストの面で現実的でない。また、底板の表面積は面光源装置の大きさで決まることから、底板を大きくすることは非常に難しい。
【００２２】
図８は、上述した実施例１に係る面光源装置の放熱特性をモデル化した図である。図８中、放熱板に関する各符号の意味を以下の表２に示す（但し、図６と重複する部分は省略する。）。
【表２】
0005056292.tif 000003
モデル化の手法は上述した比較例１と同一で、放熱板についても、面光源装置を横方向（Ｘ方向）に関してＬＥＤ１個分の幅（１０ｍｍ）を検討の対象とし、隣接するＬＥＤの間では熱バランスがとれているものとした。具体的に、図８（ａ）はＬＥＤから底板と放熱板の末端までの各熱抵抗部の熱抵抗を示し、図８（ｂ）は図８（ａ）のモデル図をより簡略化したもので、図６に追加した部分（図の下のモデル図部分）が放熱板の熱抵抗を示している。また、放熱特性の計算を簡略化するため、放熱板における第１の放熱板部の放熱は無視した。さらに、底板と放熱板との間の空気の温度は周辺雰囲気の温度と同じとした。さらにまた、放熱板部の両面と底板の熱伝達率は同一とした。
【００２３】
実施例１と比較例１の面光源装置について計算された熱抵抗を示す図８（図８（ａ）），図６（図６（ａ））における合成熱抵抗を比較すれば明らかなように、比較例１において底板から周辺雰囲気への熱抵抗は１４４（Ｋ／Ｗ）であるのに対し、実施例１において底板と放熱板から周辺雰囲気への熱抵抗は５３（Ｋ／Ｗ）で、約三分の一に減少した。その結果、ＬＥＤから周辺雰囲気への熱抵抗Ｒjaは、比較例１の場合に２０８（Ｋ／Ｗ）であるのに対して実施例１では１１７（Ｋ／Ｗ）まで、約二分の一に減少した。
【００２４】
図９は、実施例１と比較例１のＬＥＤに電流を流したときのジャンクション温度Ｔｊの計算結果を示す。図１０は計算に用いた条件（電流値、周囲温度、熱抵抗、順方向電圧）
を示す。図に示すように、ＬＥＤのジャンクション温度Ｔｊの最大値を１２０℃に設定した場合、比較例１の面光源装置では最大電流が５０ｍＡであり、ＬＥＤの定格電流１５０ｍＡに対して三分の一しか電流を流せないため非常に効率が悪い。これに対して、実施例１の面光源装置では、ＬＥＤの順方向電流を約８５ｍＡまで上げることができる。その結果、電流とＬＥＤの光度（面光源装置の輝度）は略比例関係にあるため、比較例１の面光源装置に比べて輝度を約１．７倍に向上できる。
【００２５】
また、両者に同一電流を供給した場合、実施例１の面光源装置の寿命が比較例１の面光源装置の寿命に比べて著しく長くなる。具体的に、ＬＥＤの順方向電流が５０ｍＡの場合、実施例１の面光源装置では比較例１の面光源装置に比べてジャンクション温度を約１５℃下げることができる。特に、周囲温度環境が厳しい車載用途用液晶装置（例えば、ナビゲーションシステム）において大きなメリットとなる。
【００２６】
さらに、同一ジャンクション温度、同一輝度の場合、必要な明るさを確保するために、実施例１の面光源装置では比較例１の面光源装置よりも少ない数のＬＥＤで足りる。上述のように、実施例１の面光源装置では１．７倍の光量を確保できることから、例えば、セラミック製の高価なＬＥＤを２０個から１２個に低減できる。
【実施例２】
【００２７】
本発明の実施例２に係る面光源装置を説明する。図１１，１２を参照すると、実施例２の面光源装置１０Ｂは、下部ハウジング１８Ｂの底板２６の一部を２回折り曲げて放熱板９８が形成されている。具体的に、実施例２では、縦方向側板３０と発光ダイオード６６から離れた他方の横方向側板２８ｂの内面から内側に向かって所定距離だけ離れた底板部分に、図の上方から見たときに全体としてコ字形に伸びるスリット９４を形成するとともに、コ字形スリット９４の内側に残っている底板部分９６を一方の横方向側板２８ａの近傍で２回折り曲げ、底板２６と平行又はほぼ平行若しくは非平行に伸びる放熱板９８が形成されている。具体的に、実施例２において、放熱板９８は、一方の横方向側板２８ａの近傍で底板２６に対して直角又はほぼ直交に伸びる第１の放熱板部１００と、第１の放熱板部１００の下端縁から底板２６と間隔１０４をあけて該底板２６に沿って平行に又はほぼ平行に伸びる第２の放熱板部１０２を有する。
【００２８】
実施例２に係る面光源装置１０Ｂの放熱特性モデルを図１３（図１３（ａ）、図１３（ｂ））に示す。特に図１３（ｂ）に示すように、実施例２の面光源装置では底板と放熱板の放熱抵抗（Ｒ−３＝９５ＫＷ）、ＬＥＤから底板及び放熱板までの全放熱抵抗（Ｒ−ｊａ＝１５９ＫＷ）が比較例１の放熱抵抗（Ｒ−３＝１４４ＫＷ，Ｒ−ｊａ＝２０８ＫＷ）よりも相当減少し、実施例１と同様の効果が得られることが分かる。
【００２９】
また、実施例２の放熱板は単に底板をプレスで一方向に加工するだけで形成できることから、放熱板の製造プロセスが実施例１に比べて簡単である。
【実施例３】
【００３０】
本発明の実施例３に係る面光源装置を説明する。図１４，１５を参照すると、実施例３の面光源装置１０Ｃの下部ハウジング１８Ｃは、発光ダイオード６６を支持する横方向側板２８ａの長手方向両端部をＸ方向外側に向かって延設するとともにその延設部を折り返し、横方向側板２８ａと平行又は非平行の放熱板１０６が形成してある。具体的に、実施例３では、横方向側板２８ａの長手方向外側に向かって延設し、その延設部をまず９０度内側に曲げて第１の放熱板部１０８を形成するとともに、さらに延設部をもう一度９０度内側に曲げて第２の放熱板部１１０が形成されており、第２の放熱板部１１０が隙間１１２を介して横方向側板２８ａと平行又はほぼ平行に配置されている。このように構成された実施例３の面光源装置によれば、発熱源である発光ダイオード６６のすぐ近くで、放熱板１０６を通じて筐体等に熱を放出することができる。
【図面の簡単な説明】
【００３１】
【図１】実施例１に係る面光源装置の斜視図。
【図２】図１に示す面光源装置の分解斜視図。
【図３】図１に示す面光源装置の下部ハウジングと光源装置の斜視図。
【図４】図１に示す面光源装置の下部ハウジングを表面から見た斜視図。
【図５】図１に示す面光源装置の下部ハウジングを背後から見た斜視図。
【図６】比較例１に係る面光源装置における下部ハウジングの熱抵抗モデル図。
【図７】実施例１，比較例１の面光源装置を構成する各部の特性（熱抵抗等）を示す表。
【図８】実施例１に係る面光源装置における下部ハウジングの熱抵抗モデル図。
【図９】実施例１と比較例１における電流―ジャンクション温度の関係を示すグラフ。
【図１０】図９の特性を求めた条件を示す表。
【図１１】実施例２に係る面光源装置における下部ハウジングを正面から見た斜視図。
【図１２】実施例２に係る面光源装置における下部ハウジングを背面から見た斜視図。
【図１３】実施例２に係る下部ハウジングの熱抵抗モデル図。
【図１４】実施例３に係る面光源装置における下部ハウジングを表面から見た斜視図。
【図１５】実施例３に係る面光源装置における下部ハウジングを背面から見た正面。
【符号の説明】
【００３２】
１０Ａ、１０Ｂ、１０Ｃ：面光源装置
１２：光出射面
１４：導光部
１６：ハウジング
１８：下部ハウジング
２０：上部ハウジング
２２（２２ａ、２２ｂ）：横縁部
２４：縦縁部
２６：底板
２８（２８ａ，２８ｂ）：横方向側板
３０：縦方向側板
３２：導光部材収容空間
３４：放熱板
３６：隙間
３８：第１の放熱板部
４０：隙間
４２：第２の放熱板部
４４、４６：開口部
４８：隙間保持部
５０：放熱空間
５２：反射板
５４：導光板
５６：拡散板
５８：プリズムシート
６０：光源装置
６２：フレキシブル配線基板
６４：両面テープ
６６：発光ダイオード
６８：リード部
７０：スロット
７２：天板
７４：光出射用開口部
７６：横方向縁部
７８：縦方向縁部
８０：横方向側板
８２：縦方向側板
８４：凸部
８６：凹部
８８：端面
９０：周辺雰囲気
９２：放熱板
【図１】
0005056292.tif 000004
【図２】
0005056292.tif 000005
【図３】
0005056292.tif 000006
【図４】
0005056292.tif 000007
【図５】
0005056292.tif 000008
【図６】
0005056292.tif 000009
【図７】
0005056292.tif 000010
【図８】
0005056292.tif 000011
【図９】
0005056292.tif 000012
【図１０】
0005056292.tif 000013
【図１１】
0005056292.tif 000014
【図１２】
0005056292.tif 000015
【図１３】
0005056292.tif 000016
【図１４】
0005056292.tif 000017
【図１５】
0005056292.tif 000018